(57)【要約】      （修正有）【課題】眼鏡のテンプルに非常用の笛を具備することにより、時間と場所を限定せずに使用できて、紛失することもない非常用笛付き眼鏡を提供する。【解決手段】非常用笛付き眼鏡１００は、眼鏡のテンプル１３０の少なくとも一方に、息を吹き込む吹き口部１３１と、テンプル内の息を通す送気通路と共鳴空間と、音を発生させるリード開口部１３２と、を有する笛を有し、非常時に吹笛することにより助けを求めることを可能にするものとなっている。【選択図】図１
0003227564.tif 000002
【実用新案登録請求の範囲】
【請求項１】
眼鏡のテンプルの少なくとも一方に、息を吹き込む吹き口部と、前記テンプル内の息を通す送気通路と共鳴空間と、音を発生させるリード開口部と、を有する笛を有し、非常時に吹笛することにより助けを求めることを可能にしたことを特徴とする非常用笛付き眼鏡。
【請求項２】
細長い矩形状の前記テンプルの外側面に、前記吹き口部を備えることを特徴とする請求項１記載の非常用笛付き眼鏡。
【請求項３】
前記テンプルの耳掛け側の部分が先セルとして外せ、外した場合に前記テンプルの断面に前記吹き口部を有することを特徴とする請求項１記載の非常用笛付き眼鏡。
【請求項４】
左右の前記テンプルに非常用笛を設ける場合の周波数は２，０００Ｈｚから４，０００Ｈｚの帯域内で、一方が低音で、他方が高音であり、片方のみに前記非常用笛を設ける場合は、高音であることを特徴とする請求項２又は３に記載の非常用笛付き眼鏡。
【考案の詳細な説明】
【技術分野】
【０００１】
本考案は、災害などで建物に閉じ込められたり、事件事故により身の危険が生じたときなどの非常時に、救助を求めるときに使用する非常用の笛を、眼鏡に具備する非常用笛付き眼鏡に関するものである。
【背景技術】
【０００２】
一般的に、非常時に助けを求めるときには、大声を発して非常事態であることを人に知らせるが、救助されるまで大声を長時間出し続けることは難しい。また、性差や年齢により音量や周波数が異なり、周囲の雑音に紛れてしまい、遠方に伝わりにくいことが多い。
そこで、普段から装着して周囲の人に助けを求める非常用の笛が知られている。非常用の笛は、携行を容易にするために小型でシンプルな形状にて、容易に扱うことができるものが提案されている。
【０００３】
例えば、特許文献１に記載のホイッスルでは、笛機能のみを備えたシンプルな形状で、周波数が高く、使用状況に応じた音量を可変して発生させる機構を備えているため、大きな音量を発生することができる。ホイッスルにはストラップ孔が形成されているので、紐や鎖を通してキーホルダーや携帯電話に繋ぐことで、常にホイッスルを携帯することができる。
【０００４】
また、特許文献２に記載の非常用携帯笛では、笛の吹き口がキャップに覆われていて衛生的であり、社員証などを吊り下げているストラップにコンパクトに取り付けることができ、また複数の音を同時に発生することで多くの人に聞きやすく、全体の外観もシンプルでコンパクトなので普段身に付けていても邪魔にならない。
【先行技術文献】
【特許文献】
【０００５】
【特許文献１】特許第４３９８４１８号
【特許文献２】特許第５４２４１８９号
【考案の概要】
【考案が解決しようとする課題】
【０００６】
しかしながら、特許文献１に記載のホイッスルでは、周波数が高い音を発生する機構を備えているものの、非常時においては可動下壁の傾斜角を変更する必要があり、咄嗟に変更することは容易ではない。また、ホイッスル本体にはストラップ孔が形成されているだけで、使用者が紐や鎖を別途用意して、キーホルダーや携帯電話に繋ぐことが必要であり、携行するか否かは使用者に委ねられる。通常は使用しない笛を意識的に携行することが煩わしく、常に携行する人は少ない。
【０００７】
特許文献２に記載の非常用携帯笛では、低音側と高音側の２音を含む複数音を発生するので遠方に伝わり易く、吹き口のキャップに留め具を有するので、オフィス勤務の人が着衣の上にぶら下げている社員証などのストラップや携行品に取り付けることができる。しかし、社員証に取り付ける場合は業務時に限るため、業務外は携行しないために使用できない。携行品に取り付ける場合でも、例えば手提げ袋の取っ手等の紐状に取り付けることは容易であるが、携行している時間は限られる。また、紐から留め具が外れて笛を紛失する可能性がある。笛本体にはストラップを通す穴があるので、使用者が別途、紐や鎖を用意して自発的に着衣の上にぶら下げるか、携帯品に取り付けることもできるが、携行するか否かは使用者に委ねられるために携行を確実にするものではない。
【０００８】
このような従来の非常用の笛を携行すると、限定した時間と場所において災害や事件事故などが発生した場合には有用であるが、使用者の判断に委ねた携行方法を用いた場合では、携行しない場合が多いために、非常時に笛を使用できないことが多い。
【０００９】
そこで本考案は、視力の矯正や紫外線の保護をするため、あるいはファッションアイテムとして必需品である眼鏡に非常用の笛を具備することにより、常に装着することから、意識的に非常用の笛を携帯する必要がなく、時間と場所を限定せずに使用できて、装着式ではないので紛失することもない非常用笛付き眼鏡を提供するものである。
【課題を解決するための手段】
【００１０】
一般に、眼鏡は、一対のレンズと、レンズが装着されるレンズフレームと、こめかみを経由して耳にかける左右一対のテンプルと、レンズフレームとテンプル間を開閉自在に繋ぐ丁番とを備えていうのは周知のことである。本考案の非常用笛付き眼鏡では、左右のテンプルの少なくとも一方に非常用の笛を有するものである。笛は、非常用の用途であるので、ホイッスルの様な小型のものとなるが、笛一般の構成として、息を吹き込む吹き口部、息を通す送気通路、これにつながる共鳴空間、息を外に逃がし振動音を発生させる開口であるリード開口部を有することは、周知のことである。
本願の特徴は、全てがテンプル内に構成されていることである。
さらに、吹き口部の設け方については、テンプルの外側面にあるものと、長手方向でテンプルを耳に当てる付近との間で２分し、笛側と耳当て用の先セルとし、笛側のテンプルの断面にあるものと、が考えられる。左右のテンプルに笛を設ける場合の周波数は２，０００Ｈｚから４，０００Ｈｚの帯域内の、テンプルの一方が低音で、他方が高音であり、片方のみに設ける場合は周囲の雑音に紛れにくい高音となっている。
以下、請求項に沿って記述する。
【００１１】
請求項１記載の考案は、非常用笛付き眼鏡であって、眼鏡のテンプルの少なくとも一方に、息を吹き込む吹き口部と、前記テンプル内の息を通す送気通路と共鳴空間と、音を発生させるリード開口部と、を有する笛を有し、非常時に吹笛することにより助けを求めることを可能にしたことを特徴とする。
【００１２】
請求項２記載の考案は、請求項１記載の非常用笛付き眼鏡において、細長い矩形状の前記テンプルの外側面に、前記吹き口部を備えることを特徴とする。
【００１３】
請求項３記載の考案は、請求項１記載の非常用笛付き眼鏡において、前記テンプルの耳掛け側の部分が先セルとして外せ、外した場合に前記テンプルの断面に前記吹き口部を有することを特徴とする。
【００１４】
請求項４記載の考案は、請求項２又は３記載の非常用笛付き眼鏡において、左右の前記テンプルに非常用笛を設ける場合の周波数は２，０００Ｈｚから４，０００Ｈｚの帯域内で、一方が低音で、他方が高音であり、片方のみに前記非常用笛を設ける場合は、高音であることを特徴とする。
【考案の効果】
【００１５】
以上の様に構成されているので、本考案による非常用笛付き眼鏡では、視力の矯正や紫外線の保護や、ファッションアイテムとして必需品である眼鏡に非常用の笛を具備し、常に装着することから、意識的に非常用の笛を携帯する必要がなく、災害時に建物などに閉じ込められたり、事件事故により身の危険が生じたときなどの非常時に、眼鏡のテンプルに設けた非常用笛を吹笛することにより、リード開口部がテンプル内部の共鳴室に流入した息を振動させて救命音を発生させることにより、容易に周囲の人に救助を求めることができる。
【図面の簡単な説明】
【００１６】
【図１】本考案に係る非常用笛付き眼鏡の一実施形態を示す図である。
【図２】本考案に係る非常用笛付き眼鏡の他の実施形態を示す図である。
【図３】本考案に係る非常用笛付き眼鏡のテンプル内の空間構造の一実施態様を示す図である。
【図４】本考案に係る非常用笛付き眼鏡のテンプル内の共鳴空間の一実施態様を示す図である。
【考案を実施するための形態】
【００１７】
本考案の実施の形態に係る非常用笛付き眼鏡を図面に基づいて説明する。
図１は本考案に係る非常用笛付き眼鏡の一実施形態を示す斜視図である。
本考案の非常用笛付き眼鏡１００は、テンプルの外側面に吹き口部１３１を有する例である。
非常用笛付き眼鏡１００は、図示のように、通常の眼鏡として、レンズ１１０、レンズフレーム１２０、テンプル１３０、テンプル１３０とレンズフレーム１２０を開閉自在に繋ぐ丁番１４０を備える。さらに、テンプル１３０の延長に耳掛け側に先セル１５０があるが、両者は一体でも構わない。
本願の特徴は、左右のテンプル１３０の少なくとも一方が笛を構成し、図示のように、テンプル１３０の外側に吹き口部１３１とリード開口部１３２があることである。テンプル内部の笛の構成については、図３の３−Ａに示される。
【００１８】
図２は本考案に係る非常用笛付き眼鏡の他の実施形態を示す斜視図である。
２−Ａ、２−Ｂにはテンプル１３０の先セル１５０に連結する先端に、吹き口部１３１を有する場合を示す。２−Ｂは吹き口部１３１が確認できるように斜視方向を変更したものである。
テンプル１３０の先端方向に装着している先セル１５０を引き抜き外すことにより、テンプル１３０の先セル１５０に連結する先端に設けられた吹き口部１３１が露出する。吹き口部１３１から息を挿入することにより、テンプルの外面に設けられたリード開口部１３２から、息が排出されると共に救命音が発生される。テンプル内部の笛の構成については、図３の３−Ｂに示される。
２−Ｃはテンプル１３０に設けられているリード開口部のキャップ１３３を示す。
テンプル１３０に設けられている開口部は普段は使用しないために、ホコリやゴミが溜まりやすく、使用する際に音が出にくくなると共に、吹き口部１３１は口を付けるために衛生的でないため、キャップ１３３を装着する。２−Ｃは吹き口部１３１が先セル１５０にて装着してキャップの役割をしているため、リード開口部１３２にのみキャップをする形態であるが、図１のテンプル１３０の側面に吹き口部１３１とリード開口部１３２が設けられる場合は、両方の開口部にキャップを装着する。
【００１９】
図３は本考案に係る非常用笛付き眼鏡のテンプル内の空間構造の一実施態様を示す断面図である。
３−Ａはテンプル１３０の外側面に吹き口部１３１とリード開口部１３２を設けた場合で、テンプル１３０の内部は、吹き口部１３１からテンプル１３０の矩形状に沿って長手方面に形成する送気通路１３４と、送気通路１３４に連結して長手方面に形成する共鳴空間１３５と、送気通路１３４と共鳴空間１３５の連結する位置のテンプル１３０外側面に開口して、共鳴空間１３５からの送気を振動させて音を発生させるリード開口部１３２からなる。送気通路１３４は大きな救命音を発生させるために、送気通路の高さを低くして、少量の息の送気量でも、強い送気を発生することができる。
３−Ｂはテンプルの先端に吹き口部を設けた場合である。
【００２０】
図４は本考案に係るテンプル内の共鳴空間の一実施態様を示す断面図である。
３−Ａの構造を用いた場合の、４−Ａは低音、４−Ｂは高音の空間構造を示す。４−Ａの長目共鳴空間１３５ａは低音を発生し、短目共鳴空間１３５ｂは高音を発生する。人が聞き取りやすい、２，０００Ｈｚから４，０００Ｈｚの帯域内の音が発生可能に形成されているため、例えば左右のテンプルに異なる周波数の笛を備える場合、一方は、４−Ａの長目共鳴空間１３５ａを有する笛構造体で２，０００Ｈｚの音を発生し、他方は、４−Ｂの短目共鳴空間１３５ｂを有する構造体で４，０００Ｈｚの音を発生させる。
【産業上の利用可能性】
【００２１】
以上のように本考案の非常用笛付き眼鏡は、非常時において、常時装着している眼鏡のテンプルに設けた非常用笛を吹笛し、救命音を発生させることにより、容易に周囲の人に救助を求めることができ、産業上利用して極めて好都合である。
【符号の説明】
【００２２】
１００  非常用笛付き眼鏡
１１０  レンズ
１２０  レンズフレーム
１３０  テンプル
１３１  吹き口部
１３２  リード開口部
１３３  キャップ
１３４  送気通路
１３５  共鳴空間
１３５ａ  長目共鳴空間
１３５ｂ  短目共鳴空間
１４０  丁番
１５０  先セル
【図１】
0003227564.tif 000003
【図２】
0003227564.tif 000004
【図３】
0003227564.tif 000005
【図４】
0003227564.tif 000006